(57)【要約】【課題】  リンク式ゴムクロ−ラにあって、最も亀裂が生じやすいゴムラグの基部に亀裂を生じさせない構造としたもので、ゴムクロ−ラ基体と、ゴムラグとを分離させ、ゴムラグに芯材を埋設させて補強をし、かつこれを基体側のリンクに固定したものであって、ゴムラグの補強と共に、ゴムラグに欠損が生じた際にも交換可能としたものであり、実質的にゴムクロ−ラの寿命を向上させたものである。【解決手段】  ゴム弾性体の長手方向に一定ピッチをもって芯金を埋設し、芯金のゴム埋設部である左右翼部にリンクを順次嵌合させてなるリンク式ゴムクロ−ラであって、当該リンクの外周側を実質的に露出させたゴムクロ−ラ基体と、基部側に芯材を埋設したゴムラグを前記リンクに対向させて固定した。１‥ゴム弾性体、２‥芯金、３‥翼部、５‥縁部、１０‥リンク、１１‥湾曲部、１２‥平面部、１３‥ボルト、２０‥ゴムラグ、２１‥芯材、２２、２３‥ボルト穴、２４‥ナット。【選択図】図６
2005219642.tif 000002
【特許請求の範囲】
【請求項１】
ゴム弾性体１の長手方向に一定ピッチをもって芯金２を埋設し、芯金２のゴム埋設部である左右翼部５にリンク１０を順次嵌合させてなるリンク式ゴムクロ−ラであって、当該リンク１０の外周側を実質的に露出させたゴムクロ−ラ基体と、基部側に芯材２１を埋設したゴムラグ２０を前記リンク１０に対向させて固定したことを特徴とするリンク式ゴムクロ−ラ。
【請求項２】
リンクとゴムラグとの固定手段が、ボルト及びナット用いるものである請求項１記載のリンク式ゴムクロ−ラ。
【請求項３】
リンクにボルトを立設させ、ゴムラグ側にボルト挿通穴を形成しておき、このボルトにナットを螺着させて固定する請求項１又は２記載のリンク式ゴムクロ−ラ。
【請求項４】
リンクにタップを刻設すると共に、ゴムラグ側にボルト挿通穴を形成し、ゴムラグ側よりボルトを挿入してタップに螺着させて固定する請求項１又は２記載のリンク式ゴムクロ−ラ。
【請求項５】
タップはリンクに直接刻設された請求項１又は４記載のリンク式ゴムクロ−ラ。
【請求項６】
リンクに雌ネジが取り付けられてタップとした請求項１又は４記載のリンク式ゴムクロ−ラ。
【発明の詳細な説明】
【技術分野】
【０００１】
本発明はリンク式ゴムクロ−ラの改良に関するもので、特に言えば、ゴムラグ部分をリンクに後付けする構造に係るものである。
【背景技術】
【０００２】
ゴムクロ−ラは、広く知られているように通常は図１に示すように無端状ゴム弾性体３１中に埋設された芯金３２とこれを外囲いして同じくゴム弾性体３１中に埋設された抗張材としてのスチ−ルコ−ド３３によって構成され、その外側にゴムラグ３４が形成されるものである。
【０００３】
しかしながら、このスチ−ルコ−ドは比較的細いコ−ド素線を撚り合わせたものであり、外部からゴム中に侵入する水分に起因して錆の発生をもたらし、最終的にはスチ−ルコ−ド切れの発生が避けられない。
【０００４】
このような従来技術の欠点を解決するため、出願人は全く新たな構造のゴムクロ−ラを既に提案している（特許文献１、２）。
【０００５】
【特許文献１】特願２００２−１５９３３６号
【０００６】
特許文献１の概要は、図２にて示すようにゴム弾性体２１の長手方向に一定ピッチをもって芯金３２を埋設し、芯金３２のゴム埋設部である左右翼部３５に平面視でほぼ方形の閉鎖開口部３６を形成し、隣り合う芯金の閉鎖開口部３６の縁部を、両端に内向きに開放する嵌合部３７を備えたリンク３８にて順次連結し、当該リンク３８を抗張材としたリンク式ゴムクロ−ラである。
【０００７】
【特許文献２】特願２００２−３６１７５８号
【０００８】
特許文献２の概要は、図３にて示すようにゴム弾性体３１の長手方向に一定ピッチをもって芯金３２を埋設し、芯金３２のゴム埋設部である左右翼部３５には夫々二つのリンク３８が長手方向に順次嵌め込まれて連結されたリンク式ゴムクロ−ラである。
【発明の開示】
【発明が解決しようとする課題】
【０００９】
上記の新たな提案は、従来の欠点を解決するために極めて有用であるが、更に改良が要請されている点もある。即ち、図４は図２の断面図であるが、リンク３８は夫々剛体であるため、このリンク３８上に直接接触している部位のゴム弾性体３１はこれと共に挙動することになる。従って、リンク３８の端部に位置するゴム弾性体には比較的大きな歪みがかかる。このため、リンク３８端のゴムの伸び側に当たる外周側のゴムに歪みが集中してしまう。そして、現象的には、ゴムラグ３９の基部４０にクラックが入り、ゴムラグ３９の欠損に繋がるものである。尚、図中４１は突起である。
【００１０】
本発明は上記の新規なリンク式ゴムクロ−ラにあって、ゴムラグの欠損を排除し、かつ必要であればゴムラグの交換ができる構造のゴムクロ−ラを提供するものである。
【課題を解決するための手段】
【００１１】
本発明の要旨は、ゴム弾性体の長手方向に一定ピッチをもって芯金を埋設し、芯金のゴム埋設部である左右翼部にリンクを順次嵌合させてなるゴムクロ−ラであって、当該リンクの外周側を実質的に露出させたゴムクロ−ラ基体と、一方、基部側に芯材を埋設したゴムラグを前記リンクに対向させて固定したリンク式ゴムクロ−ラである。
【００１２】
そして、リンクとゴムラグとの固定手段は、ボルト及びナット（タップ）を用いるものである。
【発明の効果】
【００１３】
本発明は以上の通りであり、最も亀裂が生じやすいゴムラグの基部に亀裂を生じさせない構造としたものであり、ゴムクロ−ラ基体と、ゴムラグとを分離させ、ゴムラグに芯材を埋設させて補強をし、かつこれを基体側のリンクに固定したものであって、ゴムラグの補強と共に、ゴムラグに欠損が生じた際にも交換可能としたものであり、実質的にゴムクロ−ラの寿命を向上させたものである。
【発明を実施するための最良の形態】
【００１４】
当該リンク式ゴムクロ−ラは、上記の通り芯金の翼部を順次リンクにて連結するものであって、抗張材としてのスチ−ルコ−ドをなくしたものである。そして、この芯金にあっては、特許文献１にて記載するように翼部に閉鎖開口部を形成し、この縁部をもってリンクにて連結するか、翼部自体を一本の円柱形にするか、或いは、複数の円柱形にするかして、この円柱部にリンクを嵌め合わせる構造となっている。
【００１５】
この場合、リンクの外周面は実質的にゴム弾性体より露呈させるものであって、隣り合う芯金を連結すると同時に、後述するゴムラグの固定に用いられるものである。
【００１６】
リンクの形状は一定の幅をもち、側面視で楕円形、或いはＣ型をなし、場合によってはＳ型のものも用いられる。
【００１７】
ゴムラグにあっては、基部側に金属やプラスチックよりなる芯材を埋設させたものであり、ゴムラグの補強と共に、リンクへの取り付けに便ならしめるものである。
【００１８】
さて、リンクとゴムラグとの固定の第１は、リンクにボルトを溶接等により立設させ、ゴムラグ側にはボルト挿通穴を形成しておき、ボルト挿通穴にボルトを差し込み、ゴムラグ側よりナットを螺着させて固定するものである。
【００１９】
固定の第２は、リンクにタップを刻設すると共に、ゴムラグ側にボルト挿通穴を形成し、ゴムラグ側よりボルトを挿入してタップに螺着させて固定するものであり、タップはリンクに直接刻設されたり、或いは、リンクに雌ネジが取り付けられてタップとしたものである。
【実施例】
【００２０】
以下、本発明を図面をもって更に詳細に説明する。図５〜図７は本発明の第１実施例を示し、図５は本発明のゴムクロ−ラ基体の内周側から見た一部切断平面図、図６はＡ−Ａ線断面図とゴムラグのＡ−Ａ線に相当する部位の断面図、図７はゴムラグの外周側から見た一部切断平面図である。
【００２１】
符号１はゴム弾性体であり、図５の左右方向に無端状に連なっている。そして、芯金２が一定ピッチにて埋設されており、特に左右の翼部３がゴム中に埋設されている。この翼部３には平面視で閉鎖開口部４が形成され、かかる閉鎖開口部４の隣り合う縁部５にリンク１０が嵌め合わされるものである。尚、符号２ａはゴムクロ−ラの内側に突出する突起である。
【００２２】
このリンク１０は従来の抗張体の代わりをなすもので、リンク１０は両端に湾曲部１１を形成し、これによって縁部５に嵌め合わされ、芯金２が連続するものである。リンク１０の平坦面１２側には２本のボルト１３が溶接によって立設されている。そして、この平坦面１２がゴムクロ−ラ基体をなすゴム弾性体１表面に実質的に露呈するものである。勿論、若干の薄いゴム膜が覆っていてもよい。
【００２３】
一方、ゴムラグ２０は、断面ほぼ三角形状をなしており、長手方向（ゴムクロ−ラに対しては幅方向）に伸びる芯材２１が埋設されている。尚、かかる芯材２１はここでは金属製のものであるが、強度のある樹脂製であってもよい。そして、かかる芯材２１には前記のボルト１３に対向してボルト穴２２が芯材に開けられ、かつゴムラグ２０にも開けられた（２３）ものである。
【００２４】
そして、ゴムラグ２０のボルト穴２２、２３にリンクに立設したボルト１３が挿入され、ナット２４をもって固定したものである。
【００２５】
本発明は以上の通りであり、通常のゴムクロ−ラにあっては、ゴム弾性体がゴムラグを含めて完全一体化となっているため、走行時にゴムラグの基部に歪みが集中し、この部位より亀裂が生じることがあるが、本発明にあっては、ゴムクロ−ラ基体とゴムラグとを別体として成形し、これを後付けしたものであり、ゴムラグの基部には歪みが集中することなく、ここに亀裂が発生することがなくなったものである。
【００２６】
図８は本発明の第２実施例を示し、図６と同様の断面図である。この例では、リンク１０にタップ１４を備えたものであり、特に図例にあっては、袋ナット１５を溶接してなるものである。勿論、リンク１０に直接タップを切ってもよいことは言うまでもない。そして、ボルト１３はゴムラグ２０側より挿入され、袋ナット（タップ）１５に螺着されるものである。
【００２７】
図９〜図１０は本発明の第３実施例を示し、図９はゴムクロ−ラ基体の内周側から見た一部切断平面図、図１０はＢ−Ｂ線での断面とゴムラグとの関係を示す図である。
【００２８】
この例にあっては、芯金２の翼部３が二股に分岐しており、左右端部に開放した構造である。又、リンク１０は所定の幅寸法をもち、側面視で長楕円形をなしている。そして、これを翼部３の左右端より隣合う芯金の翼部３をもって嵌め込むものであり、その外周側の平坦部にタップ（袋ナット）１５を溶接したものである。ボルトはゴムラグ２０側より挿入され、袋ナット（タップ）１５に螺着されることは前例と同様である。
【００２９】
図１１〜図１２は本発明の第４実施例を示し、図１１はゴムクロ−ラ基体の内周側から見た一部切断平面図、図１２はＣ−Ｃ線でのリンク１０とゴムラグとの関係を示す断面図である。
【００３０】
この例にあっては、芯金２の翼部３は断面円形の棒体とされており、一方、リンク１０は所定の幅寸法をもち、側面視で長楕円形をなしている。そして、これを翼部３の左右端より隣合う芯金の翼部３を二つのリンク１０をもって交互に千鳥状をなして連結したもので、その外周側の平坦部にタップ（袋ナット）１５を溶接したものである。ボルト１３はゴムラグ２０側より挿入され、袋ナット（タップ）１５に螺着されることは前例と同様である。勿論、第１実施例のようにリンク１０側にボルト１３を立設した構造のものでもよいことは勿論である。
【００３１】
尚、図例のものにあっては、左右のリンク１０の間が広い場合と狭い場合とがあるので、ゴムラグ２０におけるボルト穴２２は二様のものを必要とする。ただし、芯金２の翼部３に対し図１３に示すようなリンク１０の配置とすることによってタップ１５、１５の間隔（Ｌ1 、Ｌ2 ）は同じとなり、一つのゴムラグ２０で対処できることになる。
【産業上の利用可能性】
【００３２】
以上の通り、本発明はリンク式ゴムクロ−ラの更なる改良を行ったものであり、ゴムクロ−ラ基体とゴムラグとを一体化せずに別体として成形し、後付けすることによりゴムへの歪みの集中を避けたものであり、ゴムラグの交換も行うことができ、ゴムクロ−ラの寿命の向上に大きく寄与することとなったものである。
【図面の簡単な説明】
【００３３】
【図１】図１は従来のゴムクロ−ラを示す図である。
【図２】図２は既提案によるゴムクロ−ラを示す図である。
【図３】図３は更に別の提案によるゴムクロ−ラを示す図である。
【図４】図４は図２の側断面図である。
【図５】図５は第１実施例の内周側から見た一部切断平面図である。
【図６】図６は図５のゴムクロ−ラ基体のＡ−Ａ線断面及びゴムラグとの関係を示す図である。
【図７】図７はゴムラグの外周側から見た一部切断平面図である。
【図８】図８は本発明の第２実施例の図６と同様の断面図である。
【図９】図９は第３実施例の内周側から見た一部切断平面図である。
【図１０】図１０は図９のゴムクロ−ラ基体のＢ−Ｂ線断面及びゴムラグとの関係を示す図である。
【図１１】図１１は第４実施例の内周側から見た一部切断平面図である。
【図１２】図１２はＣ−Ｃ線におけるリンクとゴムラグとの関係を示す図である。
【図１３】図１３は第５実施例の内周側から見た一部切断平面図である。
【符号の説明】
【００３４】
１‥ゴム弾性体、
２‥芯金、
３‥翼部、
４‥閉鎖開口部、
５‥縁部、
１０‥リンク、
１１‥湾曲部、
１２‥平面部、
１３‥ボルト、
１４‥タップ、
１５‥袋ナット、
２０‥ゴムラグ、
２１‥芯材、
２２、２３‥ボルト穴、
２４‥ナット。
【図１】
2005219642.tif 000003
【図２】
2005219642.tif 000004
【図３】
2005219642.tif 000005
【図４】
2005219642.tif 000006
【図５】
2005219642.tif 000007
【図６】
2005219642.tif 000008
【図７】
2005219642.tif 000009
【図８】
2005219642.tif 000010
【図９】
2005219642.tif 000011
【図１０】
2005219642.tif 000012
【図１１】
2005219642.tif 000013
【図１２】
2005219642.tif 000014
【図１３】
2005219642.tif 000015